(57)【要約】【課題】必要とする噴射量を設定しうるエアゾール噴射装置を提供する。【解決手段】押圧操作部１７の押圧により容器本体の噴射管４からエアゾール組成物を噴出させるボタン操作部材２と、上記ボタン操作部材２に取り付けられ、噴射管４から噴出したエアゾール組成物の導入通路１０が形成された制御部材３と、上記エアゾール組成物を噴射させるノズル穴７と、上記導入通路１０から導入されたエアゾール組成物を流通させて上記ノズル穴７に導くバッファ通路６が形成された回転操作部材１とを備え、上記制御部材３がバッファ通路６内に存在するよう制御部材３と回転操作部材１がら着され、上記回転操作部材１の回転にともなうねじ作用により、上記バッファ通路６内において制御部材３をねじ作用で進退させて噴射量を制御するように構成した。【選択図】図１
2006320782.tif 000002
【特許請求の範囲】
【請求項１】
エアゾール組成物が充填された容器本体に取り付けられて当該容器本体内のエアゾール組成物を噴射するためのエアゾール噴射装置であって、
上記エアゾール組成物を噴射させるノズル穴と、
上記ノズル穴および容器本体の噴射管に連通し、上記噴射管から噴出したエアゾール組成物を流通させて上記ノズル穴に導くバッファ通路と、
上記バッファ通路内においてねじ作用で進退することにより噴射量を制御する制御部材とを備え、
上記ねじ作用により、上記バッファ通路内において制御部材をねじ作用で進退させて噴射量を制御するように構成されていることを特徴とするエアゾール噴射装置。
【請求項２】
エアゾール組成物が充填された容器本体に取り付けられて当該容器本体内のエアゾール組成物を噴射するためのエアゾール噴射装置であって、
押圧操作部の押圧により容器本体の噴射管からエアゾール組成物を噴出させるボタン操作部と、
上記ボタン操作部に取り付けられ、噴射管から噴出したエアゾール組成物の導入通路が形成された制御部材と、
上記エアゾール組成物を噴射させるノズル穴と、上記導入通路から導入されたエアゾール組成物を流通させて上記ノズル穴に導くバッファ通路が形成された回転操作部材として機能する本体とを備え、
上記制御部材がバッファ通路内に存在するよう制御部材と本体がら着され、上記本体の回転にともなうねじ作用により、上記バッファ通路内において制御部材をねじ作用で進退させて噴射量を制御するように構成されていることを特徴とするエアゾール噴射装置。
【請求項３】
エアゾール組成物が充填された容器本体に取り付けられて当該容器本体内のエアゾール組成物を噴射するためのエアゾール噴射装置であって、
押圧操作部の押圧により容器本体の噴射管からエアゾール組成物を噴出させるボタン操作部として機能する本体と、
上記本体に取り付けられる制御部材とを備え、
上記本体に、エアゾール組成物を噴射させるノズル穴と、上記噴射管から噴出して導入通路から導入されたエアゾール組成物を流通させてノズル穴に導くバッファ通路が形成され、
上記制御部材がバッファ通路内に存在するよう制御部材と本体がら着され、上記制御部材の回転に伴うねじ作用により、上記バッファ通路内において制御部材をねじ作用で進退させて噴射量を制御するように構成されていることを特徴とするエアゾール噴射装置。
【請求項４】
上記導入通路のバッファ通路側の開口と、制御部材と本体とのら合部との間に、シール部材が設けられている請求項１〜３のいずれか一項に記載のエアゾール噴射装置。
【発明の詳細な説明】
【技術分野】
【０００１】
本発明は、容器内に充填した種々の液状物質を霧状にして噴射するためのエアゾール噴射装置に関するものである。
【背景技術】
【０００２】
室内及び車用の消臭剤や芳香剤では、ゲル化した商品やビーズ状、マイクロカプセルを活用した製品、エアゾール製品では通常のスプレー形式や定量タイプなど多くの剤型の商品群が紹介されている。特に、エアゾール用途ではボタンにロック機構を設けた全量噴射形式の製品やキャップを回転させることにより噴霧させる製品などが提供されている。
【０００３】
エアゾール製品ではエアゾールバルブを作動させ、内容物を取り出し微細ミストとして噴霧させる際に、バルブオリフィス径やボタンオリフィス径により噴射量を制御する方法が一般的である。
【０００４】
ゴキブリやノミ、ダニ等の屋内害虫に対する駆除方法として、駆除する害虫に対して殺虫効果のある薬剤を直接あるいは間接的に噴霧する方法が採られており、殺虫剤を缶詰状をした容器に密封包装した燻蒸形式の殺虫剤入り容器が用いられてきた。これらの殺虫剤入りの容器は密閉状態にした室内等に於いて、該容器の蓋体を開封した後で発煙させるか、あるいは、容器の蓋体を開封したものに水を添加して気化反応させるなど、発生した殺虫剤の煙で密室内を充満させて燻蒸することにより殺虫する方法を採用したものである。        
【特許文献１】特開平８−２６９２４公報
【特許文献２】特開２００１−８９２公報
【特許文献３】特開２０００−２４７３８３号
【特許文献４】特開２００１−１４６２８０号
【発明の開示】
【発明が解決しようとする課題】
【０００５】
ところが、密閉された室内でこれらを用いるには、気化した煙を人や犬、猫等の動物がある一定量以上を吸引すると生命に危険を伴うので、使用に伴う煙の発生に際しては、室外に避難する等の厳重な注意が必要である。
【０００６】
そこで、害虫の駆除が必要な時に、駆除すべき場所で必要なだけ随時噴霧可能にしたものとして、特開平８−２６９２４号（上記特許文献１）等のように、密封容器に殺虫剤と高圧の噴射剤とを封入したスプレー式の殺虫用エアゾール容器がある。これらは、害虫の駆除には大きな作用を発揮して、充分な防虫効果が持続できると共に、安全で且つ手軽に使用することができるという点から一般に広く使用されている。
【０００７】
しかしながら、これらのスプレー式のエアゾール容器を用いるには、スプレーのノズルヘッドを常時押圧しつづけて噴射しなければならず、例え人体にとって無害だとは言っても、一定時間以上このような内容組成物の臭いを嗅ぎつづけると、気分を悪くする場合や作業上の苦痛を覚えることが多い。
【０００８】
そこで、上記したような噴射方法に代わるものとして、連続して噴射可能で、作動後一定時間経過した後噴射するような遅延式噴射装置（特開２００１−８９２；上記特許文献２）が開示されている。
【０００９】
また、特開２０００−２４７３８３号（上記特許文献３）には、エアゾール容器に於いて内容液体を霧状に連続噴霧可能で、必要に応じ噴霧中断でき、不正開封を防止した自動噴射可能なエアゾール容器が開示されている。
【００１０】
また、特開２００１−１４６２８０号（上記特許文献４）には、噴射量を２段階に設定できるエアゾール容器が提案されている。
【００１１】
しかしながら、上記特許文献２に開示されたような遅延噴射機構は、構造が複雑であるうえ、一定量しか噴射することができないという問題がある。また、上記特許文献３記載のエアゾール容器も、一定量しか噴射することができず、用途に応じた噴射量に設定するよう、複数種類を準備する必要があり、種類ごとに金型を作成する必要があることから、製作コストが高くなるという問題がある。また、上記特許文献４記載のエアゾール容器は、噴射量を２段階に調節することはできても、噴射する組成物の種類や場所等の用途に対応して噴射量を制御するには充分ではない。
【００１２】
本発明は、上記のような事情に鑑みなされたもので、例えば、一般家庭のトイレ周りの家庭用室内消臭剤・自動車用消臭剤やゴキブリや白蟻、ダニその他の家屋内に侵入した害虫を駆除するための殺虫剤など、必要とする噴射量を設定し、連続して自動的に噴霧するのに適し、かつ全量噴射機構を兼ね備えることができるエアゾール噴射装置の提供をその目的とする。
【課題を解決するための手段】
【００１３】
上記目的を達成するため、本発明の第１のエアゾール噴射装置は、エアゾール組成物が充填された容器本体に取り付けられて当該容器本体内のエアゾール組成物を噴射するためのエアゾール噴射装置であって、上記エアゾール組成物を噴射させるノズル穴と、上記ノズル穴および容器本体の噴射管に連通し、上記噴射管から噴出したエアゾール組成物を流通させて上記ノズル穴に導くバッファ通路と、上記バッファ通路内においてねじ作用で進退することにより噴射量を制御する制御部材とを備え、上記ねじ作用により、上記バッファ通路内において制御部材をねじ作用で進退させて噴射量を制御するように構成されていることを要旨とする。
【００１４】
上記目的を達成するため、本発明の第２のエアゾール噴射装置は、エアゾール組成物が充填された容器本体に取り付けられて当該容器本体内のエアゾール組成物を噴射するためのエアゾール噴射装置であって、押圧操作部の押圧により容器本体の噴射管からエアゾール組成物を噴出させるボタン操作部と、上記ボタン操作部に取り付けられ、噴射管から噴出したエアゾール組成物の導入通路が形成された制御部材と、上記エアゾール組成物を噴射させるノズル穴と、上記導入通路から導入されたエアゾール組成物を流通させて上記ノズル穴に導くバッファ通路が形成された回転操作部材として機能する本体とを備え、上記制御部材がバッファ通路内に存在するよう制御部材と本体がら着され、上記本体の回転にともなうねじ作用により、上記バッファ通路内において制御部材をねじ作用で進退させて噴射量を制御するように構成されていることを要旨とする。
【００１５】
上記目的を達成するため、本発明の第３のエアゾール噴射装置は、エアゾール組成物が充填された容器本体に取り付けられて当該容器本体内のエアゾール組成物を噴射するためのエアゾール噴射装置であって、押圧操作部の押圧により容器本体の噴射管からエアゾール組成物を噴出させるボタン操作部として機能する本体と、上記本体に取り付けられる制御部材とを備え、上記本体に、エアゾール組成物を噴射させるノズル穴と、上記噴射管から噴出して導入通路から導入されたエアゾール組成物を流通させてノズル穴に導くバッファ通路が形成され、上記制御部材がバッファ通路内に存在するよう制御部材と本体がら着され、上記制御部材の回転に伴うねじ作用により、上記バッファ通路内において制御部材をねじ作用で進退させて噴射量を制御するように構成されていることを要旨とする。
【発明の効果】
【００１６】
このように、本発明のエアゾール噴射装置は、ねじ作用により、上記バッファ通路内において制御部材をねじ作用で進退させて噴射量を制御するように構成されている。このため、極めて簡単な機構で無段階に噴射量を制御することができ、用途に応じた噴射量に設定して使用することが可能になる。このように、エアゾール容器内に充填した種々の液状物質を霧状にして噴射することが可能であるとともに、特に一般家庭のトイレ周りの家庭用室内消臭剤・自動車用消臭剤やゴキブリや白蟻、ダニその他の家屋内に侵入した害虫を駆除するための殺虫剤などの必要とする噴射量を任意に選定できる。
【００１７】
本発明において、上記導入通路のバッファ通路側の開口と、制御部材と本体とのら合部との間に、シール部材が設けられている場合には、噴射量を調節するためのねじ作用をつかさどるねじ部にエアゾール噴射物が付着しないため、ねじ部に異物が固まって起こる動作不良が防止され、確実に噴射量を調節することができる。
【発明を実施するための最良の形態】
【００１８】
つぎに、本発明を実施するための最良の形態を説明する。
【００１９】
図１〜図４は、本発明のエアゾール噴射装置の第１実施例を示す図である。図１は本実施例の斜視図、図２は断面図、図３および図４は要部拡大断面図であり、図３は正面から見た断面、図４は側面から見た断面である。
【００２０】
このエアゾール噴射装置は、エアゾール組成物が充填された容器本体（図示せず）に取り付けられて当該容器本体内のエアゾール組成物を噴射するためのエアゾール噴射装置である。
【００２１】
上記容器本体は、耐圧性の容器内に、例えば、消臭剤、芳香剤、殺虫剤などの液状の噴射物質が充填され、エアゾール用バルブを装着し、炭酸ガス、窒素ガスなどの圧縮ガス及び液化石油ガス、ジメチルエーテルなどの液化ガスを任意の割合で加圧充填したスプレー式エアゾール容器を用いることができる。この容器本体には、上部に噴射管４が設けられており、噴射管４を押圧することで噴射管４から内容物であるエアゾール組成物が噴出するようになっている。
【００２２】
そして、このエアゾール噴射装置には、上記エアゾール組成物を噴射させるノズル穴７と、上記ノズル穴７および容器本体の噴射管４に連通し、上記噴射管４から噴出したエアゾール組成物を流通させて上記ノズル穴７に導くバッファ通路６と、上記バッファ通路６内においてねじ作用で進退することにより噴射量を制御する制御部材３とを備えている。
【００２３】
より詳しく説明すると、押圧操作部１７の押圧により容器本体の噴射管４からエアゾール組成物を噴出させるボタン操作部材２と、上記ボタン操作部材２に取り付けられる制御部材３および回転操作部材１とを備えて構成されている。
【００２４】
図２に示すように、上記ボタン操作部材２は、容器本体の上部に取り付けるための円筒状のハカマ部２２と、上記ハカマ部２２の内部に配置されてハカマ部２２の内周面の一部と薄肉ヒンジ部１９で連結されたボタン部２３とを備えて構成されている。上記ボタン部２３には、薄肉ヒンジ部１９と反対側に、横方向に突出した押圧操作部１７が設けられている。また上記ボタン部２３の下面には噴射管４と嵌合する下側凹部３４が形成され、上面には制御部材３と嵌合する上側凹部３５が形成されている。そして、上記下側凹部３４から上側凹部３５に向かって貫通する流路１８が形成されている。
【００２５】
この構成により、押圧操作部１７に手指を掛けて下向きに押圧すると、薄肉ヒンジ部１９が変形してボタン部２３が下向きに押し込まれ、噴射管４が押し込まれて容器本体内部のエアゾール組成物が噴射管４から噴出し、流路１８を通って制御部材３に導入されるようになっている。
【００２６】
また、上記ボタン部２３の押圧操作部１７より少し下側には、ハカマ部２２の内面に形成された被係合部２１に係合する係合部２０が突出形成されている。これにより、押圧操作部１７に手指を掛けて下向きに押圧すると、噴射管４が押し込まれた状態で、係合部２０と被係合部２１が係合してボタン部２３が戻らなくなり、内部のエアゾール組成物が噴射管４から噴出し続けるようになっている。
【００２７】
図３および図４に示すように、上記ボタン操作部材２に取り付けられ、噴射管４から噴出したエアゾール組成物の導入通路１０が形成された制御部材３と、上記エアゾール組成物を噴射させるノズル穴７と、上記導入通路１０から導入されたエアゾール組成物を流通させて上記ノズル穴７に導くバッファ通路６が形成された回転操作部材（本体）１とを備えている。
【００２８】
上記制御部材３は、全体としてフランジ３８付きの略円柱状を呈し、フランジ３８の下側は、ボタン操作部材２の上側凹部３５と嵌合する嵌合部３７に形成されている。また、上側の先端部は、回転操作部材１のノズル穴７に臨む円錘状のニードル部１５に形成されている。また、フランジ３８よりも少し上側の部分には、回転操作部材１とら合するためのねじ部１３が形成されている。
【００２９】
また、上記制御部材３には、上下に延びて、下側が嵌合部３７の下面に開口するとともに、上側がニードル部１５より少し下側の左右に開口するＴ字状の導入通路１０が形成されている。上記導入通路１０は、制御部材３がボタン操作部材２に取り付けられた状態で、ボタン操作部材２の流路１８を介して噴射管４と連通する。これにより、ボタン操作部材２のボタン操作により、噴射管４からエアゾール組成物が噴出すると、流路１８を通って導入通路１０内に導入されるようになっている。
【００３０】
また、上記導入通路１０の上側すなわちバッファ通路６側の開口１１よりも少し下側にはシール部材９が配置されている。このように、上記導入通路１０のバッファ通路６側の開口１１と、制御部材３と回転操作部材１とのら合部であるねじ部１３との間に、シール部材９が設けられ、噴射量を調節するためのねじ作用をつかさどるねじ部１３にエアゾール噴射物が付着しないため、ねじ部１３に異物が固まって起こる動作不良が防止され、確実に噴射量を調節することができる。
【００３１】
上記回転操作部材１は、全体として有天円筒状に形成され、天井部にノズル穴７が形成されている。また、円筒状の内部空間が、上記導入通路１０から導入されたエアゾール組成物を流通させてノズル穴７に導くバッファ通路６に形成されている。上記バッファ通路６の天井面は、制御部材３のニードル部１５の円錐状より角度が緩やかな逆さすり鉢状に形成されている。また、バッファ通路６の下側の内面には、制御部材３とら合するためのねじ部１３が形成されている。
【００３２】
そして、上記制御部材３がバッファ通路６内に存在するよう制御部材３と回転操作部材１がら着されている。このような構成により、上記回転操作部材１の回転にともなうねじ部１３のねじ作用により、上記バッファ通路６内において制御部材３がねじ作用で上下方向に進退させて噴射量を制御するようになっている。
【００３３】
すなわち、回転操作部材１を、ねじ部１３がねじ込まれる方向に回転させると、制御部材３がバッファ通路６内を上方に進むことになり、ノズル穴７に臨む制御部材３のニードル部１５がノズル穴７に近づき、ニードル部１５の先端がノズル穴７を塞ぐ（図３の状態）。この状態では、ボタン操作部材２のボタン操作によって噴射管４からエアゾール組成物が噴出しても、ノズル穴７からはほとんど噴出しない。
【００３４】
図４に示すように、回転操作部材１を、ねじ部１３を緩める方向に回転させると、制御部材３がバッファ通路６内を下方に進むことになり、ノズル穴７に臨む制御部材３のニードル部１５の先端がノズル穴７から離れ、ノズル穴７が開放される。この状態で噴射管４からエアゾール組成物が噴出すると、ノズル穴７から噴射される。
【００３５】
そして、回転操作部材１の回転度合いを調整することにより、ニードル部１５とノズル穴７との距離が変化してノズル穴７の開口率が変化し、噴射量が制御されるようになっている。
【００３６】
このとき、エアゾール組成物は、制御部材３の導入通路１０を通ってその開口１１から噴出し、ニードル部１５の斜面とバッファ通路６の壁面との間に形成される環状のバッファ空間２５で一旦膨張し、その後ノズル穴７から噴射される。このように、ノズル穴７を中心とする環状のバッファ空間２５で一旦膨張してから、中心のノズル穴７から噴射されるため、エアゾール組成物が円形に噴射され、より均一な散布を行うことができる。
【００３７】
つぎに、上記エアゾール噴射装置の動作について説明する。
【００３８】
まず、回転操作部材１を一杯までねじ込んで、ノズル穴７をニードル部１５で塞いだ状態で、押圧操作部１７に手指を掛けて下向きに押圧し、係合部２０と被係合部２１が係合してボタン部２３が戻らなくなるまで押し込み、噴射管４を押し込んでエアゾール組成物が噴射管４から噴出し続ける状態にする。この状態では、ノズル穴７は塞がっているのでノズル穴７からエアゾール組成物はほとんど噴出しない。
【００３９】
ついで、図６に示すように、回転操作部材１を、ねじ部１３を緩める方向に回転させ、ニードル部１５の先端とノズル穴７との間に隙間をつくり、ノズル穴７を開放し、所望の噴射量になるよう回転操作部材１の回転度合いを調節する。このようにすることにより、適当な噴霧状態が継続して得られ、連続して自動的に噴霧するのに適し、かつ全量噴射することが可能となる。
【００４０】
図７は、本発明の第２実施例である。
【００４１】
この例では、ボタン操作部材２のハカマ部２２の上部に、上方に突出する回転規制部材２７が設けられるとともに、回転操作部材１の外周部に、上記回転規制部材２７と干渉するよう横方向に延びる係止部材２８が設けられている。上記係止部材２８は、図８（Ａ）に示すように、回転操作部材１を一杯までねじ込んで、ニードル部１５がノズル穴７を塞いだ状態で、回転規制部材２７とほぼ干渉する程度の位置に配置されている。そして、図８（Ｂ）に示すように、回転操作部材１を緩める方向に一回転する少し手前で回転規制部材２７に干渉し、回転操作部材１を緩め過ぎて外してしまうのが防止されるようになっている。それ以外は上記第１実施例と同様であり、同様の部分には同じ符号を付している。
【００４２】
なお、上記第１および第２の実施例において、係合部２０および被係合部２１を設けず、押圧操作部１７を押したときだけ噴射するようにすることもできる。
【００４３】
図９は、本発明の第３実施例である。
【００４４】
この実施例は、押圧操作部１７の押圧により容器本体の噴射管４からエアゾール組成物を噴出させるボタン操作部（本体）３１と、上記ボタン操作部３１に取り付けられる制御部材３とを備えている。
【００４５】
上記ボタン操作部３１は、下面に噴射管４が嵌合する下側凹部４０が形成されている。また、上記ボタン操作部３１には、前面にエアゾール組成物を噴射させるノズル穴７が穿設され、上記ノズル穴７の後方に、上記噴射管４から噴出して導入通路１０から導入されたエアゾール組成物を流通させてノズル穴７に導くバッファ通路６が前後に延びるよう形成されている。そして、上記ボタン操作部３１には、上記下側凹部４０とバッファ通路を連通させる導入通路１０が形成されている。
【００４６】
上記導入通路１０のバッファ通路６側の開口１１は、バッファ通路６の前方の奥面よりも少し後ろ側に形成されている。また、バッファ通路６の後部開口近傍部の内面には、制御部材３とら合するためのねじ部１３が形成されている。
【００４７】
上記制御部材３は、全体として円柱状に形成され、後端部に円柱状のツマミ部３２が形成されている。また、上記ツマミ部３２の少し前方には、ボタン操作部３１とら合するためのねじ部１３が形成されている。また、制御部材３をねじ込んだ状態で、導入通路１０のバッファ通路６側の開口１１より先端側が細径に形成され、この制御部材３の細径部とバッファ通路内壁との間にバッファ空間２５が形成されている。
【００４８】
上記制御部材３の細径部の先端は円錐状に形成されたニードル部１５に形成されている。また、制御部材３の細径部よりも後方に、シール部材９が設けられている。これにより、上記導入通路１０のバッファ通路６側の開口１１と、制御部材３とボタン操作部３１とのら合部であるねじ部１３との間に、シール部材９が設けられている。
【００４９】
そして、上記制御部材３がバッファ通路６内に存在するよう制御部材３とボタン操作部３１がら着され、上記制御部材３の回転に伴うねじ作用により、上記バッファ通路６内において制御部材３をねじ作用で進退させて噴射量を制御するように構成されている。
【００５０】
つぎに、上記エアゾール噴射装置の動作について説明する。
【００５１】
まず、制御部材３を一杯までねじ込んで、ノズル穴７をニードル部１５で塞いだ状態では、ノズル穴７は塞がっているのでノズル穴７からエアゾール組成物はほとんど噴出しない。そして、ツマミ部３２を把持して制御部材３のねじが緩む方向に回転させると、ニードル部１５の先端とノズル穴７との間に隙間ができ、ノズル穴７が開放される。そして、所望の噴射量になるよう制御部材３の回転度合いを調節する。このようにすることにより、適当な噴霧状態が得られる。
【００５２】
以上のように、本発明のエアゾール噴射装置は、ねじ作用により、上記バッファ通路６内において制御部材３をねじ作用で進退させて噴射量を制御するように構成されている。このため、極めて簡単な機構で無段階に噴射量を制御することができ、用途に応じた噴射量に設定して使用することが可能になる。このように、エアゾール容器内に充填した種々の液状物質を霧状にして噴射することが可能であるとともに、特に一般家庭のトイレ周りの家庭用室内消臭剤・自動車用消臭剤やゴキブリや白蟻、ダニその他の家屋内に侵入した害虫を駆除するための殺虫剤などの必要とする噴射量を任意に選定できる。
【００５３】
そして、消臭剤などをリビングなどの狭い空間で使用する場合には、回転噴射ノズル部の開放を制御することで長時間内溶液を噴霧することが可能であり、室内芳香剤などでは新鮮な香りをほぼ一定噴射できる。又、トイレ内では使用者のニ一ズに合わせて必要量噴霧することも可能となった。
【００５４】
上記各実施例において、使用するバルブ・ボタンのオリフィス径は用途により任意に選定でき、用途や使用方法が大きく異なることから、微量噴射から大量噴射まで選定可能であり、噴射量可変ボタンとしても有効である。例えば、消臭剤や芳香剤のように微細なミストを要求される製品には、ステムオリフィス０．３ｍｍ〜１．０ｍｍの範囲から、全量噴射で使い切りを前提とする製品ではステムオリフィス０．３ｍｍ〜１．０ｍｍの範囲から使用目的に合わせて選定できる。また、回転噴射ノズルのオリフィス径は、目的に応じて０．３ｍｍから２．０ｍｍ程度まで選定できる。なお、ワイド（広角）噴射（楕円状の噴射パターン）や通常噴射（円形の噴射パターン）の噴射口を装着することにより、塗料などの用途でも噴射量可変が可能である。
【図面の簡単な説明】
【００５５】
【図１】本発明のエアゾール噴射装置の第１実施例を示す斜視図である。
【図２】上記第１実施例を示す断面図である。
【図３】上記第１実施例の要部を示す断面図である。
【図４】上記第１実施例の要部を示す断面図である。
【図５】上記第１実施例の動作状態を示す断面図である。
【図６】上記第１実施例の動作状態を示す断面図である。
【図７】本発明のエアゾール噴射装置の第２実施例を示す断面図である。
【図８】上記第２実施例の作用を示す平面図である。
【図９】本発明のエアゾール噴射装置の第３実施例を示す断面図である。
【符号の説明】
【００５６】
１      回転操作部材
２      ボタン操作部材
３      制御部材
４      噴射管
６      バッファ通路
７      ノズル穴
９      シール部材
１０      導入通路
１１      開口
１３      ねじ部
１５      ニードル部
１７      押圧操作部
１８      流路
１９      薄肉ヒンジ部
２０      係合部
２１      被係合部
２２      ハカマ部
２３      ボタン部
２５      バッファ空間
２７      回転規制部材
２８      係止部材
３１      ボタン操作部
３２      ツマミ部
３４      下側凹部
３５      上側凹部
３７      嵌合部
３８      フランジ
４０      下側凹部
【図１】
2006320782.tif 000003
【図２】
2006320782.tif 000004
【図３】
2006320782.tif 000005
【図４】
2006320782.tif 000006
【図５】
2006320782.tif 000007
【図６】
2006320782.tif 000008
【図７】
2006320782.tif 000009
【図８】
2006320782.tif 000010
【図９】
2006320782.tif 000011